(57)【要約】【課題】装置内の熱気を効率良く装置外へと排出可能な画像形成装置を提供すること。【解決手段】画像形成装置は、下側筐体２Ａと、下側筐体２Ａの上方に配設された上側筐体３Ａとを備え、上側筐体３Ａの下面側には、下端６１Ａから上端６１Ｂに向かって斜め上方へと延びる形状とされた第一傾斜面６１が形成され、第一傾斜面６１の下端６１Ａは、定着部２４で加熱された熱気が下方から上昇してくる位置に配置されるとともに、第一傾斜面６１の上端６１Ｂは、第一傾斜面６１の下端６１Ａから第一傾斜面６１に沿って斜め上方へと流れる熱気を被記録媒体の排出部から離れる方向へと導く位置に配置されており、第一傾斜面６１の上端６１Ｂは、装置の外側と内側とを区画する隔壁６５の内側に設けられていて、隔壁６５には、第一傾斜面６１に沿って流れてくる熱気を装置の外側へと排出するための排気口６６が形成されている。【選択図】図４
2014130210.tif 000002
【特許請求の範囲】
【請求項１】
露光部、現像部、及び定着部を含む電子写真方式の画像形成部と、
前記画像形成部によって画像が形成されたシートを外部に排出する排出部と、
前記画像形成部及び前記排出部が設けられた下側筐体と、
前記下側筐体の上方に配設された上側筐体と
を備え、
前記上側筐体の下面側には、下端から上端に向かって斜め上方へと延びる形状とされた第一傾斜面が形成され、
前記第一傾斜面の下端は、前記定着部で加熱された熱気が下方から上昇してくる位置に配置されるとともに、前記第一傾斜面の上端は、前記第一傾斜面の下端から前記第一傾斜面に沿って斜め上方へと流れる熱気を前記排出部から離れる方向へと導く位置に配置されており、
しかも、前記第一傾斜面の上端は、装置の外側と内側とを区画する隔壁の内側に設けられていて、前記隔壁には、前記第一傾斜面に沿って流れてくる熱気を装置の外側へと排出するための排気口が形成されている
画像形成装置。
【請求項２】
前記定着部の上方を覆うカバー部が設けられ、
前記カバー部の下面側には、下端から上端に向かって斜め上方へと延びる形状とされた第二傾斜面が形成され、
前記第二傾斜面の下端は、前記定着部の上方に配置されるとともに、前記第二傾斜面の上端は、前記第一傾斜面の下端の下方に配置されている
請求項１に記載の画像形成装置。
【請求項３】
前記第一傾斜面の下端は、上下方向において、前記第二傾斜面の上端と同一位置、又は前記第二傾斜面と重なる位置に配置されている
請求項２に記載の画像形成装置。
【請求項４】
前記定着部は、加熱ローラ及び加圧ローラを備え、
前記カバー部には、前記第二傾斜面に沿って流れてくる熱気を前記カバー部の上方へと放出するための通気口が形成され、
前記加熱ローラの軸方向について、前記通気口の寸法は、前記加熱ローラの寸法以上とされている
請求項２又は請求項３に記載の画像形成装置。
【請求項５】
前記上側筐体には、原稿の画像を読み取る読取部が設けられている
請求項１〜請求項４のいずれか一項に記載の画像形成装置。
【請求項６】
前記上側筐体内部の底面は、上下方向について、最も高い位置にある箇所が第一位置にある第一範囲と、最も高い位置にある箇所が前記第一位置よりも上方の第二位置にある第二範囲とを有し、
前記第一傾斜面は、前記第二範囲の下方に形成されている
請求項５に記載の画像形成装置。
【請求項７】
一端が前記読取部に接続されるとともに、他端が前記読取部によって読み取られた画像を処理する処理部に接続されたフラットケーブルを備え、
前記読取部は、原稿の画像を読み取る際に前記上側筐体の内部を往復移動するように構成されるとともに、前記フラットケーブルの一部が前記上側筐体の内部に配線されており、当該上側筐体の内部に配線された部分は、前記一端から前記読取部の移動方向へと延びる上側部分と、前記上側部分から下方へＵ字状に湾曲する湾曲部分と、前記湾曲部分から前記上側部分と並行して前記読取部の移動方向へと延びる下側部分とを有し、
前記読取部が、往動方向及び復動方向のうち、いずれか一方向へ移動した際には、前記フラットケーブル上における前記湾曲部分の位置が変化することで、前記上側部分が前記下側部分よりも長くなる一方、他方向へ移動した際には、前記下側部分が前記上側部分よりも長くなるように構成され、
前記上側筐体内部の底面は、前記下側部分が前記上側部分よりも長くなったときに前記下側部分の下方となる範囲が前記第一範囲とされており、前記上側部分が前記下側部分よりも長くなったときに前記上側部分の下方となる範囲かつ前記下側部分の下方とはならない範囲が前記第二範囲とされている
請求項６に記載の画像形成装置。
【請求項８】
前記第二傾斜面は、傾きの異なる複数の傾斜面を組み合わせて構成されている
請求項５〜請求項７のいずれか一項に記載の画像形成装置。
【発明の詳細な説明】
【技術分野】
【０００１】
本発明は、画像形成装置に関する。
【背景技術】
【０００２】
従来、電子写真方式の画像形成装置（いわゆるレーザプリンタ）において、画像形成部を収容する下側筐体の上方に、原稿の画像を読み取る読取部を収容した上側筐体を設けたものが知られている（例えば、特許文献１参照。）。
【０００３】
また、下記特許文献１に記載された画像形成装置の場合、画像形成部において画像が形成された被記録媒体を排出するための空間（以下、媒体排出空間とも称する。）が、下側筐体と上側筐体との間に形成されている。
【先行技術文献】
【特許文献】
【０００４】
【特許文献１】特許第４３８９１７７号公報
【発明の概要】
【発明が解決しようとする課題】
【０００５】
ところで、電子写真方式の画像形成装置には、発熱源となる定着器が内蔵されている。そのため、従来は、下側筐体に排気ファンを設け、この排気ファンを作動させて下側筐体内にこもった熱気を強制的に外部に排出する、といった対策が取られていた。ただし、このような排気ファンを設ければ、その分だけ電力消費量が増大し、環境負荷も増大するという問題がある。
【０００６】
一方、上記のような排気ファンを設けなければ、その分だけ電力消費量を抑制することは可能である。しかし、単に排気ファンを廃止するだけでは、当然ながら下側筐体に熱がこもりやすくなる。
【０００７】
そのため、特に、上述のような媒体排出空間が下側筐体と上側筐体との間に形成されている場合には、下側筐体内部の熱気が、被記録媒体の排出経路を伝って上述の媒体排出空間へと流れ込みやすくなる可能性がある。このような場合、媒体排出空間へ排出されたシートを利用者が手にする際に、手に予期しない熱気を感じる可能性があり、気温の高い環境下（例えば夏場）などにおいては、利用者が熱気で不快な思いをすることが懸念される。
【０００８】
本発明は、上記のような背景のもとで完成されたものであり、その目的は、装置内の熱気を効率良く装置外へと排出可能な画像形成装置を提供することにある。
【課題を解決するための手段】
【０００９】
以下、本発明において採用した構成について説明する。
本発明の画像形成装置は、露光部、現像部、及び定着部を含む電子写真方式の画像形成部と、前記画像形成部によって画像が形成されたシートを外部に排出する排出部と、前記画像形成部及び前記排出部が設けられた下側筐体と、前記下側筐体の上方に配設された上側筐体とを備え、前記上側筐体の下面側には、下端から上端に向かって斜め上方へと延びる形状とされた第一傾斜面が形成され、前記第一傾斜面の下端は、前記定着部で加熱された熱気が下方から上昇してくる位置に配置されるとともに、前記第一傾斜面の上端は、前記第一傾斜面の下端から前記第一傾斜面に沿って斜め上方へと流れる熱気を前記排出部から離れる方向へと導く位置に配置されており、しかも、前記第一傾斜面の上端は、装置の外側と内側とを区画する隔壁の内側に設けられていて、前記隔壁には、前記第一傾斜面に沿って流れてくる熱気を装置の外側へと排出するための排気口が形成されている。
【００１０】
このように構成された画像形成装置によれば、定着部で加熱された熱気を下側筐体の下面側に形成された第一傾斜面に沿って排出部から離れる方向へと案内し、その熱気を排気口から装置の外側へと排出することができる。したがって、上記第一傾斜面相当の構成を備えていない場合に比べ、熱気を効率良く装置外へ排出することができ、装置内の温度が上昇するのを抑制することができる。
【００１１】
また、第一傾斜面に沿って案内される熱気は、排出部から離れる方向へと案内されるので、排出部から熱気が排出されるのを抑制することができる。したがって、排出部から熱気が排出されやすい装置に比べ、排出部から排出されたシートを利用者が手にする際に、手に熱気を感じなくても済み、利用者が熱気で不快な思いをすることがない。
【００１２】
ところで、本発明の画像形成装置は、前記定着部の上方を覆うカバー部が設けられ、前記カバー部の下面側には、下端から上端に向かって斜め上方へと延びる形状とされた第二傾斜面が形成され、前記第二傾斜面の下端は、前記定着部の上方に配置されるとともに、前記第二傾斜面の上端は、前記第一傾斜面の下端の下方に配置されていることが好ましい。
【００１３】
このように構成された画像形成装置によれば、定着部で発生した熱気を第二傾斜面によって案内できるので、第一傾斜面の下端と定着部が上下方向に重ならない位置関係にある場合でも、定着部で発生した熱気を第一傾斜面へと導くことができる。
【００１４】
また、本発明の画像形成装置において、前記第一傾斜面の下端は、上下方向において、前記第二傾斜面の上端と同一位置、又は前記第二傾斜面と重なる位置に配置されていることが好ましい。
【００１５】
このように構成された画像形成装置によれば、第一傾斜面と第二傾斜面は、第一傾斜面の下端が、上下方向において、第二傾斜面の上端と同一位置、又は第二傾斜面と重なる位置にあるため、下方から見たときに、第一傾斜面の下端と第二傾斜面の上端との間に隙間がないように見える配置状態となる。したがって、そのような隙間があるように見える配置状態となっているものに比べ、第二傾斜面側から第一傾斜面側へ効率良く熱気が流れ、熱気の排出効率を改善することができる。
【００１６】
また、本発明の画像形成装置において、前記定着部は、加熱ローラ及び加圧ローラを備え、前記カバー部には、前記第二傾斜面に沿って流れてくる熱気を前記カバー部の上方へと放出するための通気口が形成され、前記加熱ローラの軸方向について、前記通気口の寸法は、前記加熱ローラの寸法以上とされていることが好ましい。
【００１７】
このように構成された画像形成装置によれば、定着部で温められた熱気を効率良く通気口から放出できる。
また、本発明の画像形成装置において、前記上側筐体には、原稿の画像を読み取る読取部が設けられていることが好ましい。
【００１８】
このように構成された画像形成装置によれば、読取部を収容するために設けられた上側筐体の下面を利用して、定着部からの熱気を装置の外側へ導くことができる。
また、本発明の画像形成装置において、前記上側筐体内部の底面は、上下方向について、最も高い位置にある箇所が第一位置にある第一範囲と、最も高い位置にある箇所が前記第一位置よりも上方の第二位置にある第二範囲とを有し、前記第一傾斜面は、前記第二範囲の下方に形成されていることが好ましい。
【００１９】
このように構成された画像形成装置によれば、上側筐体内部の底面が高くなっている箇所（第二範囲に対応する箇所）の下方に第一傾斜面が形成してあるので、上側筐体内部の底面が低い箇所（例えば第一範囲に対応する箇所）の下方に第一傾斜面を形成する場合に比べ、上側筐体の上下方向寸法を大きくすることなく傾斜面を形成することができ、装置全体の薄型化を図ることができる。
【００２０】
また、本発明の画像形成装置において、一端が前記読取部に接続されるとともに、他端が前記読取部によって読み取られた画像を処理する処理部に接続されたフラットケーブルを備え、前記読取部は、原稿の画像を読み取る際に前記上側筐体の内部を往復移動するように構成されるとともに、前記フラットケーブルの一部が前記上側筐体の内部に配線されており、当該上側筐体の内部に配線された部分は、前記一端から前記読取部の移動方向へと延びる上側部分と、前記上側部分から下方へＵ字状に湾曲する湾曲部分と、前記湾曲部分から前記上側部分と並行して前記読取部の移動方向へと延びる下側部分とを有し、前記読取部が、往動方向及び復動方向のうち、いずれか一方向へ移動した際には、前記フラットケーブル上における前記湾曲部分の位置が変化することで、前記上側部分が前記下側部分よりも長くなる一方、他方向へ移動した際には、前記下側部分が前記上側部分よりも長くなるように構成され、前記上側筐体内部の底面は、前記下側部分が前記上側部分よりも長くなったときに前記下側部分の下方となる範囲が前記第一範囲とされており、前記上側部分が前記下側部分よりも長くなったときに前記上側部分の下方となる範囲かつ前記下側部分の下方とはならない範囲が前記第二範囲とされていることが好ましい。
このように構成された画像形成装置によれば、読取部の往復移動に伴って上述のようにフラットケーブルの形状が変化すると、第一範囲の上方には上述の下側部分及び上側部分の双方が到来する。ただし、第一範囲では底面の最も高い位置にある箇所が第二位置よりも下方の第一位置にあるので、最も高い位置にある箇所が第一位置よりも上方の第二位置にある第二範囲に比べ、上下方向の空間に余裕がある。そのため、このような余裕のある空間に上述の下側部分及び上側部分の双方が到来しても、湾曲部分の曲率が過度に大きくなったり上側部分と下側部分が過度に接近したりすることはない。一方、第二範囲は底面の最も高い位置にある箇所が第一位置よりも上方の第二位置にあり、この箇所では上下方向の空間が第一範囲よりも狭くなるが、この第二範囲の上方には上述の上側部分しか到来しない。そのため、第二位置にある箇所の上側となる部分に下側部分が重なることはなく、この場合も湾曲部分の曲率が過度に大きくなることはない。
【００２１】
したがって、第二範囲において最も高い位置にある箇所が第一位置よりも上方の第二位置にあることが原因となって、フラットケーブルに過大なストレスをかけてしまうことはなく、上述のような第一傾斜面の形成箇所とフラットケーブルの配線領域を両立させて確保することができる。
【００２２】
また、本発明の画像形成装置において、前記第一傾斜面は、傾きの異なる複数の傾斜面を組み合わせて構成されていることが好ましい。
このように構成された画像形成装置によれば、上側筐体側の構造上の都合で所定の傾きを持つ単一の傾斜面を設けることが困難な場合でも、上側筐体側の構造上の都合に応じて傾きの異なる複数の傾斜面を組み合わせて、所期の性能を発揮する第一傾斜面を形成することができる。
【図面の簡単な説明】
【００２３】
【図１】複合機の概略の内部構造を示す縦断面図。
【図２】読取ユニットの概略の内部構造を示す平面図。
【図３】読取ユニット内の可動部分の動きを示す説明図。
【図４】定着部からの排熱構造を示す縦断面図。
【図５】通気口が形成された領域及び加熱ローラの幅を示す説明図。
【発明を実施するための形態】
【００２４】
次に、本発明の実施形態について一例を挙げて説明する。本実施形態において例示する画像形成装置は、画像形成装置としての機能（プリント機能）に加え、その他の機能（例えば、イメージスキャン機能、コピー機能、ファクシミリ送受信機能など）を兼ね備えた複合機として構成されたものである。なお、以下の説明においては、複合機の各部について、それらの相対的な位置関係を簡潔に説明するため、図中に併記した上下左右前後の各方向を利用して説明を行う。
【００２５】
［複合機の構造］
図１に示すように、複合機１は、下部ユニット２と、下部ユニット２の上側に搭載された上部ユニット３とを備える。上部ユニット３は、下部ユニット２に対して開閉可能に取り付けられている。上部ユニット３を閉じると、下部ユニット２の上面側は上部ユニット３に覆われる。上部ユニット３を開くと、下部ユニット２の上面側は外部に露出する。
【００２６】
下部ユニット２は、下側筐体２Ａを備える。下側筐体２Ａの内部には、周知のＣＰＵ，ＲＯＭ，ＲＡＭなどを備える制御基板によって構成される処理部１１と、被記録媒体に対して電子写真方式で画像を形成する画像形成部１２などが収容されている。
【００２７】
上部ユニット３は、上側筐体３Ａと、上側筐体３Ａの上面側を覆う原稿カバー３Ｂとを備える。原稿カバー３Ｂは、上側筐体３Ａに対して開閉可能に取り付けられる。原稿カバー３Ｂを開放すると、原稿カバー３Ｂによって覆われていた上側筐体３Ａの上面側が外部に露出する。
【００２８】
上側筐体３Ａの内部には、原稿の画像を読み取る読取部１３（図２参照。）などが収容されている。原稿カバー３Ｂには、ＡＤＦ（Automatic Document Feeder；自動原稿送り装置）によって構成される原稿搬送部（図示略）が設けられている。上部ユニット３の前側上部には、利用者によって操作される操作部１５が設けられている。
【００２９】
［下部ユニットの詳細］
下部ユニット２には、図１に示すように、シート供給部２１が設けられ、このシート供給部２１から画像形成部１２へ被記録媒体が供給される。画像形成部１２は、プロセスカートリッジ２２、露光部２３、定着部２４などを備える。画像形成部１２において画像が形成された被記録媒体は、画像形成部１２から排出部２５へと搬送されて装置外へ排出される。
【００３０】
シート供給部２１は、シート供給トレイ３０、シート供給ローラ３１、分離ローラ３２、分離パッド３３、レジストローラ対３４などを備える。プロセスカートリッジ２２は、感光体３５、帯電器３６、現像剤供給ローラ３７、現像ローラ３８、転写ローラ３９などを備える。定着部２４は、加熱ローラ４１、加圧ローラ４２などを備える。排出部２５は、排出ローラ対４５、シート排出トレイ４６などを備える。
【００３１】
シート供給トレイ３０に載置された被記録媒体は、シート供給ローラ３１によってシート供給トレイ３０から引き出されて、搬送経路（図１中に破線で示す経路。）の下流側へと送り出される。その際、被記録媒体は、分離ローラ３２及び分離パッド３３によって１枚ずつに分離されてから、搬送経路下流側へと送られる。被記録媒体がレジストローラ対３４に当接すると、被記録媒体の先端位置が位置決めされるとともに、搬送方向に対する傾きが矯正される。
【００３２】
プロセスカートリッジ２２及び露光部２３は、協働して被記録媒体に対して画像を形成する。具体的には、プロセスカートリッジ２２は、搬送経路に沿って搬送される被記録媒体を表裏から挟み込む位置に、感光体３５及び転写ローラ３９を備えている。画像を形成する際には、感光体３５の表面を帯電器３６で帯電させた後、露光部２３が備えるレーザースキャナから照射されるレーザー光（図１中に二点鎖線で示す矢印参照。）で感光体３５を走査することにより、感光体３５の表面に静電潜像が描かれる。現像ローラ３８の表面には、現像剤供給ローラ３７から供給される現像剤が担持され、この現像剤を担持した表面で現像ローラ３８が感光体３５の表面に接触することで、感光体３５の表面には現像剤によって顕像が形成される。こうして形成された顕像は、感光体３５と転写ローラ３９との間に被記録媒体が挟み込まれた際に、被記録媒体側へと転写される。
【００３３】
上記顕像が転写された被記録媒体は、更に搬送経路下流側へと送り出されて定着部２４に至る。定着部２４では、被記録媒体が加熱ローラ４１と加圧ローラ４２の間に挟み込まれて加熱及び加圧を受け、被記録媒体に転写された顕像が被記録媒体に定着する。定着部２４から送り出された被記録媒体が排出部２５に至ると、排出ローラ対４５によってシート排出トレイ４６の上面側へと排出される。なお、シート排出トレイ４６は、上部ユニット３と下部ユニット２の間に形成される媒体排出空間４８内に配置されている。
【００３４】
［上部ユニットの詳細］
上部ユニット３は、図１に示すように、上側筐体３Ａの上面側に配設されたプラテンガラス５１を備える。プラテンガラス５１の下方には、図２に示すように、イメージセンサによって構成される読取部１３、キャリッジ５４、ガイド部５５、ＦＦＣ（Flexible Flat Cable）５６（本発明でいうフラットケーブルの一例に相当。）などが設けられている。
【００３５】
読取部１３は、本実施形態の場合、密着イメージセンサ（ＣＩＳ；Contact Image Sensor）とされている。読取部１３が有する複数の読取素子は、複合機１における前後方向に配列されている。以下、この読取素子の配列方向である前後方向のことを主走査方向とも称する。
【００３６】
読取部１３は、キャリッジ５４上に搭載されている。読取部１３とキャリッジ５４との間には図示しない圧縮ばねが介装され、読取部１３とプラテンガラス５１との間には図示しないスペーサが介装されている。これらの構成により、読取部１３は、プラテンガラス５１との間に所定の間隙をなす状態でプラテンガラス５１側（上方）に向かって押圧されている。
【００３７】
キャリッジ５４は、図示しないモーターによって駆動されるタイミングベルト（図示略）に連結されており、タイミングベルトが駆動された際には、ガイド部５５に沿って読取部１３とともに左右方向へ往復移動する。以下、読取部１３及びキャリッジ５４の移動方向である左右方向のことを副走査方向とも称する。ガイド部５５は、樹脂材料によって上側筐体３Ａと一体成形されたもので、上側筐体３Ａの底部内面から上方へ突出する部分が左右方向に延在する形状とされている。そして、図２における左側が読取部１３の待機位置であり、読取部１３は、この位置から右側に移動しながら（往動）、プラテンガラス５１に支持されている原稿の画像を読み取る。また、読取部１３は、原稿の読取が終了すると、左側の待機位置に戻る（復動）。
【００３８】
ＦＦＣ５６は、一部が上側筐体３Ａの内部に配線され、残りの部分は上側筐体３Ａの外部へと導出されて処理部１１に接続されている。このＦＦＣ５６のうち、上側筐体３Ａの内部に配線された部分は、図３（ａ）〜図３（ｃ）に示すように、一端５６Ａが読取部１３に接続され、他端５６Ｂが上側筐体３Ａの底部に固定されている。
【００３９】
また、上記一端５６Ａから他端５６Ｂに至る部分は、一端５６Ａから副走査方向（読取部１３の移動方向）へと延びる上側部分５６Ｃと、上側部分５６Ｃから下方へＵ字状に湾曲する湾曲部分５６Ｄと、湾曲部分５６Ｄから上側部分５６Ｃと並行して副走査方向へと延びる下側部分５６Ｅとを有する。
【００４０】
読取部１３が、復動方向へ移動した際には（図３（ａ）参照。）、ＦＦＣ５６上における湾曲部分５６Ｄの位置が変化することで、上側部分５６Ｃは下側部分５６Ｅよりも長くなる。一方、読取部１３が、往動方向へ移動した際には（図３（ｃ）参照。）、下側部分５６Ｅは上側部分５６Ｃよりも長くなる。
【００４１】
以下、下側部分５６Ｅが上側部分５６Ｃよりも長くなったときに下側部分５６Ｅの下方となる範囲を第一範囲Ｓ１、上側部分５６Ｃが下側部分５６Ｅよりも長くなったときに上側部分５６Ｃの下方となる範囲かつ下側部分５６Ｅの下方とはならない範囲を第二範囲Ｓ２と称する。
【００４２】
［定着部からの排熱構造］
上側筐体３Ａの下面側には、図４に示すように、下端６１Ａから上端６１Ｂに向かって斜め上方へと延びる形状とされた第一傾斜面６１が形成されている。また、下部ユニット２の上部には、定着部２４の上方を覆うカバー部２Ｂが設けられ、カバー部２Ｂの下面側には、下端６２Ａから上端６２Ｂに向かって斜め上方へと延びる形状とされた第二傾斜面６２が形成されている。
【００４３】
これら第一傾斜面６１及び第二傾斜面６２は、定着部２４で加熱された空気（熱気）を、複合機１の背面側（後方）へと導くための通気経路を構成している（図４中の白抜き矢印参照。）。
【００４４】
より詳しく説明すると、第二傾斜面６２の下端６２Ａは、定着部２４の上方に配置され、定着部２４から上昇する熱気が第二傾斜面６２に当たるようになっている。第二傾斜面６２に当たった熱気は、第二傾斜面６２に沿って上端６２Ｂ側へと流れる。
【００４５】
カバー部２Ｂには、第二傾斜面６２に沿って流れてくる熱気をカバー部２Ｂの上方へと放出するための通気口６３が形成されている。この通気口６３は、図５に示すように、幅方向（前後方向）の寸法Ｗ１が加熱ローラ４１の寸法Ｗ２以上とされる範囲に形成されている。なお、通気口６３の形状及び数は、図５に示されるものに限らず、他の形態であってもよい。
【００４６】
第二傾斜面６２の上端６２Ｂ及び通気口６３は、第一傾斜面６１の下端６１Ａの下方に配置されている。より詳しくは、第一傾斜面６１の下端６１Ａは、下方から見た場合に、第二傾斜面６２の上下端間となる位置（又は第二傾斜面６２の上端６２Ｂと同一位置）に配置されている。
【００４７】
これにより、通気口６３から上昇する熱気が第一傾斜面６１に当たるようになっている。すなわち、第一傾斜面６１の下端６１Ａは、定着部２４で加熱された熱気が下方から上昇してくる位置に配置されているのであり、本明細書でいう「定着部２４で加熱された熱気」は、定着部２４そのものから上昇する熱気には限定されない。
【００４８】
第一傾斜面６１に当たった熱気は、第一傾斜面６１に沿って上端６１Ｂ側へと流れる。第一傾斜面６１の上端６１Ｂは、第一傾斜面６１の下端６１Ａよりも装置後方にあり、排出部２５は、第一傾斜面６１の下端６１Ａよりも装置前方にある。そのため、第一傾斜面６１は、下端６１Ａから第一傾斜面６１に沿って斜め上方へと流れる熱気を、排出部２５から離れる方向へと導くことになる。
【００４９】
第一傾斜面６１の上端６１Ｂは、上側筐体３Ａの一部として形成された隔壁６５の内側に設けられている。隔壁６５には、図３（ａ）〜図３（ｃ）及び図４に示すように、第一傾斜面６１に沿って流れてくる熱気を複合機１の外側へと排出するための排気口６６が形成されている。そのため、隔壁６５へと流れた熱気は、排気口６６を介して装置の外部へと排出されることになる。
【００５０】
ところで、図１及び図４に示す縦断面図は、図２中にＡ−Ａ線で示した切断面における断面図であり、図３（ａ）〜図３（ｃ）に示す断面図は、図２中にＢ−Ｂ線で示した切断面における断面図である。これらの図面から明らかなように、第一傾斜面６１は、上述した第二範囲Ｓ２の範囲内の下方に形成されている。
【００５１】
また、このような位置に第一傾斜面６１を形成したことにより、上側筐体３Ａ内部の底面は、第一範囲Ｓ１と第二範囲Ｓ２とで高さ位置が変わっている。具体的には、上側筐体３Ａ内部の底面のうち、第一範囲Ｓ１において最も高い位置にある箇所６７と、第二範囲Ｓ２において最も高い位置にある箇所６８とでは、第二範囲Ｓ２の方が高い位置（上方）にある（図３（ａ）〜図３（ｃ）参照。）。そして、その高い位置にある箇所６８が設けられ、その部分の下面側に上述の第一傾斜面６１が形成されている。
【００５２】
このような位置に第一傾斜面６１を形成すれば、上述したＦＦＣ５６の動きを妨げることなく、第一傾斜面６１をより上方に形成することができ、これにより、上部ユニット３の高さ方向寸法の薄型化を図ることができる。
【００５３】
より詳しく説明すると、キャリッジ５４の作動に伴ってＦＦＣ５６が変位した際に、第一範囲Ｓ１においては、湾曲部分５６Ｄが往復移動するとともに、下側部分５６Ｅの長短が変動する。そのため、このようなＦＦＣ５６の動きを妨げない範囲内で、第一傾斜面６１を形成しようとすると、下側部分５６Ｅの配線位置よりも下方に第一傾斜面６１を形成せざるを得ない。
【００５４】
一方、第二範囲Ｓ２においては、キャリッジ５４の作動に伴ってＦＦＣ５６が変位しても、上側部分５６Ｃの長短が変動するだけで、湾曲部分５６Ｄや下側部分５６Ｅが第二範囲Ｓ２に到来することはない。そのため、第二範囲Ｓ２の下方に第一傾斜面６１を形成するに当たっては、上側部分５６Ｃの配線位置よりも下方であれば第一傾斜面６１を形成することができ、その位置を下側部分５６Ｅの配線位置よりも上方とすることも可能となる。したがって、第一傾斜面６１をより上方に形成して十分な角度の傾斜を確保しつつ、上部ユニット３の薄型化を図ることが可能となるのである。
【００５５】
［効果］
以上説明したように、上記複合機１によれば、定着部２４で加熱された熱気を下側筐体２Ａの下面側に形成された第一傾斜面６１に沿って案内し、その熱気を排気口６６から複合機１の外部へと排出することができる。したがって、上記第一傾斜面６１相当の構成を備えていない場合に比べ、熱気を効率良く装置外へ排出することができ、装置内の温度が上昇するのを抑制することができる。
【００５６】
また、第一傾斜面６１に沿って案内される熱気は、排出部２５から離れる方向へと案内されるので、排出部２５から熱気が排出されるのを抑制することができる。したがって、排出部２５に相当する箇所から熱気が排出されやすい装置に比べ、排出部２５から排出されたシートを利用者が手にする際に、手に熱気を感じなくても済み、利用者が熱気で不快な思いをすることがない。
【００５７】
また、上記複合機１では、定着部２４で発生した熱気を第二傾斜面６２によって第一傾斜面６１へと案内している。そのため、第一傾斜面６１の下端６１Ａと定着部２４が直接的には上下方向に重ならない位置関係にあるにもかかわらず、定着部２４で発生した熱気を第一傾斜面６１へと導くことができる。
【００５８】
また、上記複合機１によれば、第一傾斜面６１と第二傾斜面６２は、下方から見て両者間に隙間がないように見える配置状態となっているので、両者間に隙間があるように見える配置状態となっているものに比べ、第二傾斜面６２側から第一傾斜面６１側へ効率良く熱気が流れ、熱気の排出効率を改善することができる。
【００５９】
また、上記複合機１では、通気口６３の前後方向寸法が、加熱ローラ４１の前後方向寸法（軸方向寸法）以上とされているので、定着部２４で温められた熱気を効率良く通気口６３から放出することができる。
【００６０】
上記複合機１によれば、上側筐体３Ａ内部の底面が高くなっている箇所（第二範囲Ｓ２に対応する箇所）の下方に第一傾斜面６１が形成してあるので、上側筐体３Ａの上下方向寸法を大きくすることなく傾斜面を形成することができ、装置全体の薄型化を図ることができる。また、このような第二範囲Ｓ２は、ＦＦＣ５６が変位しても上側部分５６Ｃしか到来しない範囲なので、ＦＦＣ５６に過大なストレスがかかることがなく、上述のような第一傾斜面６１の形成箇所とＦＦＣ５６の配線領域を両立させて確保することができる。
【００６１】
なお、上述のように、第一傾斜面６１を第二範囲Ｓ２に対応する箇所の下方に形成するに当たって、装置の薄型化を妨げない範囲内であれば、第一傾斜面６１の一部が第一範囲Ｓ１に対応する箇所の下方にまで達することは問題ない。換言すれば、ここでいう、第二範囲Ｓ２に対応する箇所の下方に形成されるとは、第二範囲Ｓ２に対応する箇所の下方のみに形成されるという意味ではなく、少なくとも第二範囲Ｓ２に対応する箇所の下方に形成されるが、それ以外の箇所にまで形成されるか否かは問わないという意味である。
【００６２】
［その他の実施形態］
以上、本発明の実施形態について説明したが、本発明は上記の具体的な一実施形態に限定されず、この他にも種々の形態で実施することができる。
【００６３】
例えば、上記実施形態においては、第一傾斜面６１として単一の傾斜面を設ける例を示したが、第一傾斜面６１は複数の傾斜面を組み合わせて構成されていてもよい。
より具体的な例を挙げれば、例えば、上記実施形態では、図２中に概略の範囲を示す領域Ａ１において、後方へ向かって上り勾配となる傾斜面を上側筐体３Ａの下面に設けて第一傾斜面６１としてあった。これに加えて、更に前方の領域Ａ２にも、上側筐体３Ａの下面に後方へ向かって上り勾配となる傾斜面を設けて、それら二つの傾斜面で第一傾斜面６１を構成してもよい。この場合、二つの傾斜面は傾斜角度を変えてもよく、これにより、他の構造に与える影響が最小限で済むように、第一傾斜面６１の形状を最適化することができる。
【００６４】
また、領域Ａ１の右方にある領域Ａ３や領域Ａ１の左方にある領域Ａ４においても、上側筐体３Ａの下面に傾斜面を設け、それら複数の傾斜面で第一傾斜面６１を構成してもよい。この場合、領域Ａ３では左方に向かって上り勾配となる傾斜面とし、領域Ａ４では右方に向かって上り勾配となる傾斜面とすることで、通気口６３から排出される熱気を領域Ａ１側へと集めることができ、領域Ａ１において熱気をまとめて後方へと排気することができる。
【００６５】
また、上記実施形態の複合機１の場合、第一傾斜面６１を利用して熱気を効率良く排出することができるので、下側筐体２Ａの空気を強制的に排出する排気ファンを設けていないが、排気ファンを併用するか否かは任意である。このような場合でも、第一傾斜面６１による排気・排熱効果は期待できるので、より小型の排気ファンでも十分な排気・排熱性能を確保できる、という利点がある。
【符号の説明】
【００６６】
１…複合機、２…下部ユニット、２Ａ…下側筐体、２Ｂ…カバー部、３…上部ユニット、３Ａ…上側筐体、３Ｂ…原稿カバー、１１…処理部、１２…画像形成部、１３…読取部、１５…操作部、２１…シート供給部、２２…プロセスカートリッジ、２３…露光部、２４…定着部、２５…排出部、３０…シート供給トレイ、３１…シート供給ローラ、３２…分離ローラ、３３…分離パッド、３４…レジストローラ対、３５…感光体、３６…帯電器、３７…現像剤供給ローラ、３８…現像ローラ、３９…転写ローラ、４１…加熱ローラ、４２…加圧ローラ、４５…排出ローラ対、４６…シート排出トレイ、４８…媒体排出空間、５１…プラテンガラス、５３…イメージセンサ、５４…キャリッジ、５５…ガイド部、５６…ＦＦＣ、５６Ａ…ＦＦＣの上側筐体内に配線された部分の一端、５６Ｂ…ＦＦＣの上側筐体内に配線された部分の他端、５６Ｃ…ＦＦＣの上側部分、５６Ｄ…ＦＦＣの湾曲部分、５６Ｅ…ＦＦＣの下側部分、６１…第一傾斜面、６１Ａ…第一傾斜面の下端、６１Ｂ…第一傾斜面の上端、６２…第二傾斜面、６２Ａ…第二傾斜面の下端、６２Ｂ…第二傾斜面の上端、６３…通気口、６５…隔壁、６６…排気口。
【図１】
2014130210.tif 000003
【図２】
2014130210.tif 000004
【図３】
2014130210.tif 000005
【図４】
2014130210.tif 000006
【図５】
2014130210.tif 000007